(57)【特許請求の範囲】
【請求項１】
電源線を収容するポールと、前記ポールの頂部に着脱可能に取付けられた灯具とを有する照明器具であって、
前記灯具に、前記ポールに収容されて固定可能な取付金具部を設けるとともに当該取付金具部に前記電源線と接続する接続部を設け、
前記取付金具部に、前記接続部を露出させるとともに前記取付金具部の下部を前記ポールに挿入支持した状態で、前記ポールからずらした前記灯具を保持する保持手段を設けたことを特徴とする照明器具。
【請求項２】
前記保持手段が、支持部材を挿入して前記灯具を前記ポールにより支持するための貫通部であることを特徴とする請求項１記載の照明器具。
【発明の詳細な説明】
【技術分野】
【０００１】
本発明は、ポールの頂部に灯具を設けた照明器具に関するものである。
【背景技術】
【０００２】
従来より、ポールの頂部に灯具を設けた照明器具が知られている（例えば特許文献１参照）。
図６に示すように、特許文献１に記載の照明器具１００では、ポール１０１の頂部にランプ１０２ａを有する灯具１０２が取付けられている。ポール１０１は、頂部に器具固定部１０３を有して内部に電源線１０４を挿通している。灯具１０２は、器具固定部１０３に取付けられる取付部１０５を有するとともに、口出し線１０６を引出している。また、ポール１０１の頂部には係止具１０７が設けられており、灯具１０２の仮吊り用の係止爪１０８および電源線１０４と口出し線１０６を接続する端子台１０９を有している。
【０００３】
従って、灯具１０２を取付ける際には、係止爪１０８を器具固定部１０３の先端に引っ掛けて灯具１０２を仮吊りの状態とし、電源線１０４を引き出して端子台１０９に接続する。そして、電源線１０４をポール１０１内部に収容するとともに、取付部１０５をポール１０１の頂部に外嵌し、ボルトにより固定する。
【特許文献１】特開平９−２８２９１２号公報（第１図）
【発明の開示】
【発明が解決しようとする課題】
【０００４】
しかしながら、灯具１０２の接続の際に接続のために電源線１０４を引き出す際に、引出し量が少ないと接続作業が困難となる。このため、ある程度の長さを引き出す必要があるが、接続後に電源線１０４をポール１０１内部に収容する際に、ポール１０１の長さが長い（高い）場合には十分に電源線１０４を収容することができるが、ポール１０１の長さが短い（低い）場合には、電源線１０４の収容が困難になるという問題があった。さらに、重量物である灯具１０２を仮吊りの状態で作業を行うと、誤って落下させるおそれもある。
【０００５】
本発明は、従来の問題を解決するためになされたもので、灯具を安全に保持することができるとともに、電源線の引出し量が少なくても接続作業性の良い照明器具を提供することを目的とする。
【課題を解決するための手段】
【０００６】
本発明の照明器具は、電源線を収容するポールと、前記ポールの頂部に着脱可能に取付けられた灯具とを有する照明器具であって、前記灯具に、前記ポールに収容されて固定可能な取付金具部を設けるとともに当該取付金具部に前記電源線と接続する接続部を設け、  前記取付金具部に、前記接続部を露出させるとともに前記取付金具部の下部を前記ポールに挿入支持した状態で、前記ポールからずらした前記灯具を保持する保持手段を設けた構成を有している。
【０００７】
この構成により、ポールの先端に取付けられる灯具を、ポールに収容されている電源線に接続する際に、灯具に設けられている取付金具部により灯具をポールからずらした状態で保持する。このとき、取付金具部に設けられている接続部が露出しているので、ポールに収容されている電源線を短い長さで引き出して、容易に接続することができ、接続後に引き出した電源線をポール内に容易に収容することができる。また、灯具は、取付金具部の下部をポール内に収納した状態で、保持手段により保持されるので、灯具の落下を防止して確実に保持することができる。
【０００８】
また、本発明の照明器具は、前記保持手段が、支持部材を挿入して前記灯具を前記ポールにより支持するための貫通部である構成を有している。
【０００９】
この構成により、取付金具部に設けた貫通穴や切欠き等の貫通部に、ドライバーやピン等の支持部材を挿入することにより、取付金具部を容易にポールに保持することができる。
【発明の効果】
【００１０】
本発明は、ポールの先端に取付けられる灯具を、ポールに収容されている電源線に接続する際に、灯具に設けられている取付金具部により灯具をポールからずらした状態で保持する。このとき、取付金具部に設けられている接続部が露出しているので、ポールに収容されている電源線を短い長さで引き出して、容易に接続することができ、接続後に引き出した電源線をポール内に容易に収容することができる。また、灯具は、取付金具部の下部をポール内に収納した状態で、保持手段により保持されるので、灯具の落下を防止して確実に保持することができるという効果を有する照明器具を提供することができるものである。
【発明を実施するための最良の形態】
【００１１】
以下、本発明の実施の形態の照明器具について、図面を用いて説明する。
図１（Ａ）は本発明の実施形態にかかる照明器具の正面図、図１（Ｂ）は灯具の接続時の正面図、図２は接続作業位置における灯具とポールとの取付部を示す分解斜視図、図３は保持手段である貫通部の別の例を示す斜視図、図４（Ａ）〜（Ｆ）は電源線を灯具に接続する接続作業の手順を示す説明図である。
【００１２】
図１に示すように、本発明の照明器具１０は、例えば下端部が地中１１に埋設され例えば地表面から高さ４５０ｍｍ程度の低いポール２０を有しており、ポール２０の超部には灯具２０が着脱可能に取付けられている。ポール２０の内部空間には、地中１１に埋設されている電源線２１が引き込まれて上端まで配線されている。
【００１３】
図２に示すように、灯具３０は、光源であるリング状のランプ等が取付けられている灯具本体３１を有しており、灯具本体３１の下部に設けられている灯具本体下部３１ａには、ランプを点灯させる点灯装置を設置するための板状の取付金具部である取付金具３２が下方へ向かって設けられており、ポール２０の上端部に収納可能となっている。取付金具３２には、一対の電源線張力止め部品３３によって、ポール２０の内部空間に収容された各電源線２１の上端部２１ａが固定されており、電源線２１に過大な張力が作用しないようにして接続作業位置（図２に示す位置）まで電源線２１を引出し可能となっている。従って、電源線２１は、電源線張力止め部品３３よりも先端側の接続部３４において、灯具２０のランプに電力を供給する口出し線３５と接続されている。
【００１４】
取付金具３２には保持手段の貫通部としての貫通穴３６が設けられており、灯具３０を接続作業位置よりも上方へずらして、貫通穴３６をポール２０の上端面２０ａよりも上方で露出させた状態で、支持部材としての例えばドライバー１２の先端部１２ａを挿入して貫通させることにより、灯具３０をポール２０の上端面２０ａに保持することができる。このとき、灯具３０と一体的に設けられている取付金具３２の下部３２ａが、ある程度長くポール２０の内部空間に収容されるようにして、灯具３０がポール２０から脱落しないようにする。
【００１５】
なお、図３に示すように、取付金具３２に設けられる保持手段の貫通部として、取付金具３２の側面３２ｂに開口するとともに、上方へ屈曲した全体Ｌ字形状の溝３７とすることもできる。この場合には、支持部材であるドライバー１２の先端部１２ａを、取付金具３２の側方からスライドさせて溝３７を貫通させることができるので、容易に灯具３０を保持することができる。
【００１６】
次に、図４（Ａ）〜（Ｆ）に基づいて、電源線２１の接続作業について説明する。
まず、図４（Ａ）に示すように、電源線２１の先端部２１ａをポール２０から少し引き出して、先端部２１ａを加工して銅線２１ｂを露出させる。次いで、灯具３０の下部に設けられている取付金具３２の貫通穴３６にドライバー１２の先端部１２ａを挿入し貫通させて、ドライバー１２を介して灯具３０をポール２０の上端面２０ａに保持（仮固定）する。
【００１７】
次いで、図４（Ｃ）に示すように、電源線２１の先端部２１ａを、電源線張力止め部品３３によって電源線２１の外径の１／４程度押えて固定する。そして、図４（Ｄ）に示すように、電源線２１の銅線２１ｂと、灯具３０の口出し線３５の銅線３５ａとを結線し、自己融着テープを巻回した後に絶縁テープを巻回して、防水処理を施して接続部３４を形成する。
【００１８】
そして、図４（Ｅ）に示すように、接続部３４，３４をポール２０の内部空間に収納した後、ドライバー１２を貫通穴３６から引き抜く。最後に、図４（Ｆ）に示すように、取付金具３２をポール２０の内部空間に収納して、ネジ３８を締め付ける。
【００１９】
以上、説明した照明器具１０によれば、ポール２０の先端に取付けられる灯具３０を、ポール２０に収容されている電源線２１に接続する際に、灯具３０に設けられている取付金具３２により灯具３０をポール２０から上方へずらした状態で保持する。このとき、取付金具３２に設けられている接続部３４が露出しているので、ポー２０に収容されている電源線２１を短い長さで引き出して、容易に接続することができ、接続後に引き出した電源線２１をポール２０内に容易に収容することができる。また、灯具３０は、取付金具３２の下部３２ａをポール２０内に収納した状態で、貫通穴３６に挿入したドライバー１２の先端部１２ａによって保持されるので、灯具の落下を防止して確実に保持することができる。
【００２０】
また、取付金具３２に設けた貫通穴３６に、ドライバー１２を挿入することにより、取付金具３２を容易にポール２０の上端面２０ａに保持することができるので、作業性が向上する。
【００２１】
なお、本発明の照明器具は、前述した実施形態に限定されるものでなく、適宜な変形，改良等が可能である。
例えば、前述した実施形態においては、保持手段として、取付金具３２に貫通穴３６や溝３７を設け、この貫通穴３６や溝３７に支持部材としてドライバー１２の先端部１２ａを挿入する場合について例示したが、この他、図５（Ａ）に示すように、ポール２０の上端部において中心からずれた位置に支持棒３９を溶接して固定しておき、取付金具３２に切起しにより形成した係止部３２ｃを引っ掛けるようにしてもよい。
【００２２】
あるいは、図５（Ｂ）に示すように、取付金具３２に図３で前述したような溝３７を形成するとともに、ポール２０には上向きの屈曲したＬ字形状の支持棒４１を取付金具３２の面と直交する方向に取付け、支持棒４１に溝３７を引っ掛けることにより灯具３０を保持するようにしてもよい。
【図面の簡単な説明】
【００２３】
【図１】（Ａ）は本発明の実施形態にかかる照明器具の正面図、（Ｂ）は灯具の接続時の正面図
【図２】接続作業位置における灯具とポールとの取付部を示す分解斜視図
【図３】保持手段である貫通部の別の例を示す斜視図
【図４】（Ａ）〜（Ｆ）は電源線を灯具に接続する接続作業の手順を示す説明図
【図５】（Ａ）および（Ｂ）は保持手段の別の例を示す斜視図および断面図
【図６】従来の照明器具を示す側面図
【符号の説明】
【００２４】
１０  照明器具
１２  ドライバー（支持部材）
２０  ポール
２１  電源線
３０  灯具
３２  取付金具（取付金具部）
３２ａ  下部
３４  接続部
３６  貫通穴（保持手段、貫通部）
【図１】
0005083976.tif 000002
【図２】
0005083976.tif 000003
【図３】
0005083976.tif 000004
【図４】
0005083976.tif 000005
【図５】
0005083976.tif 000006
【図６】
0005083976.tif 000007